(57)【要約】      （修正有）【課題】吸い込んだ空気を浄化し、上向きに浄化された空気を排出する殺菌空気清浄機を提供する。【解決手段】本体ケーシング１０、外気取入口２０、空気吹出口３０、及び殺菌空気清浄モジュール４０を含む殺菌空気清浄機であって、本体ケーシングの側面に外気取入口が配置される。本体ケーシングの上面に空気吹出口が配置される。本体ケーシングの内部キャビテ１１に殺菌空気清浄モジュールが配置される。殺菌空気清浄モジュールは、フィルター材４１、紫外線ランプ４２、及び循環ファン４３を含む。フィルター材は、外気取入口の位置と対応するように本体ケーシングの内部キャビテ内に配置される。紫外線ランプは、本体ケーシングの内部キャビテに配置される。循環ファンは、本体ケーシングの内部キャビテに配置される。循環ファンは、外気取入口と隣り合うように紫外線ランプ及びフィルター材の間に位置される。【選択図】図２
0003223623.tif 000002
【実用新案登録請求の範囲】
【請求項１】
本体ケーシング、外気取入口、空気吹出口、及び殺菌空気清浄モジュールを含む殺菌空気清浄機であって、
前記本体ケーシングの側面に、前記外気取入口が配置され、前記本体ケーシングの上面に前記空気吹出口が配置され、前記本体ケーシングの内部キャビテに前記殺菌空気清浄モジュールが配置され、
前記殺菌空気清浄モジュールは、フィルター材、紫外線ランプ、及び循環ファンを含み、前記フィルター材は、前記本体ケーシングの内部キャビテに、前記外気取入口と対応するように配置され、
前記紫外線ランプは、前記本体ケーシングの内部キャビテに配置され、
前記循環ファンは、前記本体ケーシングの内部キャビテに配置され、
前記循環ファンは、前記紫外線ランプと前記フィルター材との間に、前記外気取入口と隣り合う位置に配置される、ことを特徴とする、殺菌空気清浄機。
【請求項２】
前記本体ケーシングは、移動可能な垂直ハウジングであって、横長形状に構成される、請求項１に記載する、殺菌空気清浄機。
【請求項３】
前記外気取入口が横長形状に構成され、前記空気吹出口が横長形状に構成される、請求項１又は２に記載する、殺菌空気清浄機。
【請求項４】
前記フィルター材は、触媒フィルタースクリーン、活性炭フィルタースクリーン、ＨＥＰＡフィルタースクリーンから選ばれる１つ、又はそれらの組み合わせである、請求項１〜３のいずれか１項に記載する、殺菌空気清浄機。
【請求項５】
前記紫外線ランプの波長帯域は２５４ｎｍである、請求項１〜４のいずれか１項に記載する、殺菌空気清浄機。
【請求項６】
前記紫外線ランプの波長帯域は、２５４ｎｍ及び１８５ｎｍである、請求項１〜５のいずれか１項に記載する、殺菌空気清浄機。
【請求項７】
前記紫外線ランプは２つあり、２つの前記紫外線ランプは、上下に並べて配置される、請求項１〜６のいずれか１項に記載する、殺菌空気清浄機。
【請求項８】
前記循環ファンは、円筒ファンに構成され、空気が前記本体ケーシングの側面の前記外気取入口から吸い込まれて、直線に垂直方向に従って前記本体ケーシングの上面の前記空気吹出口に導かれるように配置される、請求項１〜７のいずれか１項に記載する、殺菌空気清浄機。
【考案の詳細な説明】
【技術分野】
【０００１】
本考案は、殺菌空気清浄機に関し、特に外気取入口を介して吸い込んだ空気を殺菌空気清浄モジュールに通じて浄化し、空気吹出口により上向きに浄化された空気を排出する殺菌空気清浄機に関する。
【背景技術】
【０００２】
現在、市場で一般的に使用されている空気清浄機は、一般に、ＨＥＰＡフィルターのようなフィルタースクリーンを設けることによってのみ空気清浄を達成している。しかしながら、フィルタースクリーンのフィルター手段のみでは空気中のバクテリアやウィルスのような微生物を効果的に殺すことができず、そして部屋全体の中で空気の三次元サイクルを急速に形成することも不可能である。そこで、本考案者は、長年にわたり関連製品の開発設計に携わってきており、上記の欠点を効果的に改善できると考え、研究に専念し、理論の応用に協力し、最終的に設計上妥当な本考案を提案する。
【考案の概要】
【考案が解決しようとする課題】
【０００３】
本考案が解決されるべき技術的問題は、先行技術にある欠点に対応できる殺菌空気清浄機を提供する。
【課題を解決するための手段】
【０００４】
前記の技術的問題を解決するために、本考案が採用する技術手段の１つとしては、本体ケーシング、外気取入口、空気吹出口、及び殺菌空気清浄モジュールを含む殺菌空気清浄機を提供する。前記本体ケーシングの側面に前記外気取入口が配置される。前記本体ケーシングの上面に前記空気吹出口が配置される。前記本体ケーシングの内部キャビテに前記殺菌空気清浄モジュールが配置される。なかでも、前記殺菌空気清浄モジュールは、フィルター材、紫外線ランプ、及び循環ファンを含む。前記フィルター材は、前記本体ケーシングの内部キャビテに、前記外気取入口の位置と対応するように配置される。前記紫外線ランプは、前記本体ケーシングの内部キャビテに配置される。前記循環ファンは、前記本体ケーシングの内部キャビテに配置される。前記循環ファンは、前記紫外線ランプと前記フィルター材との間に配置され、前記外気取入口と隣り合うように位置される。
【０００５】
特定な好ましい実施形態において、前記本体ケーシングは、移動可能な垂直ハウジングであって横長形状に形成される。
【０００６】
特定な好ましい実施形態において、前記外気取入口が横長形状に形成され、前記空気吹出口が横長形状に形成される。
【０００７】
特定な好ましい実施形態において、前記フィルター材は、触媒フィルター、活性炭フィルター、またはＨＥＰＡフィルターから選ばれる１つまたはそれらの組合せである。
【０００８】
特定な好ましい実施形態において、前記紫外線ランプは、波長帯域が２５４ｎｍの紫外線ランプである。
【０００９】
特定な好ましい実施形態において、前記紫外線ランプは、波長帯域が２５４ｎｍ及び１８５ｎｍの紫外線ランプである。
【００１０】
特定な好ましい実施形態において、前記紫外線ランプは２つあり、２つの前記紫外線ランプは、上下に並べて配置される。
【００１１】
特定な好ましい実施形態において、前記循環ファンは、円筒ファンであり、それは前記本体ケーシングの側面の前記外気取入口から吸い込んだ空気を直線に垂直方向に従って前記本体ケーシングの上面前記空気吹出口まで導くようにする。
【００１２】
上記の課題を解決するために、本考案が採用する他の技術的な手段では、接続リングを提供する。前記接続リングは、スライダー組立構造体に適用し、前記接続リングは、移動可能に前記スライダー組立構造体における引き手と可動係合部と互いに合わせる。前記接続リングは、線状材料を所定直径を有する環状に形成される。
【考案の効果】
【００１３】
本考案による有益な効果の１つとしては、本考案が提供する殺菌空気清浄機は、フィルター材、紫外線ランプ、及び循環ファンを含んで、それにより空気は吸い込まれ、濾過され、殺菌され、そして空気浄化及び殺菌機能を有し、それにより空気の質を改善する。また、紫外線ランプは、２５４ｎｍ、または１８５ｎｍの波長帯域もあり、それにより、本考案の殺菌空気清浄機は、効果的に空気中のバクテリアやウィルスを滅菌することが可能である。最後に、循環ファンが円筒ファンに構成され、本体ケーシングの側面にある外気取入口から空気が吸い込まれ、そして濾過され、殺菌された清浄な空気が本体ケーシングの上面にある空気吹出口から上向きに排出させる仕組みにより、室内全体の空気が急速に立体的なサイクルに形成されるので、室内全体の空気を迅速に浄化することができ、空気の質の向上に対する要求が達成される。
【図面の簡単な説明】
【００１４】
【図１】本考案による殺菌空気清浄機を示す立体模式図である。
【図２】本考案による殺菌空気清浄機の内部構成を示す模式図である。
【考案を実施するための形態】
【００１５】
本考案の特徴及び技術内容がより一層分かるように、以下本考案に関する詳細な説明と添付図面を参照する。しかし、提供される添付図面は参考と説明のために提供するものに過ぎず、本考案の実用新案登録請求の範囲を制限するためのものではない。
【００１６】
本開示は、その中の多数の修正および変形が当業者に明らかであるので、例示としてのみ意図される以下の実施例においてより詳細に記載される。図面中の類似の番号は、図面を通して類似の構成要素を示す。なお、この考案の図面はあくまで説明のためのものであり、実際の大きさに応じて予め記載されているわけではない。以下の実施形態は、本考案の関連技術内容をさらに説明するが、本開示は本試験の保護範囲を限定することを意図するものではない。
【００１７】
図１、２を参照する。本考案は、殺菌空気清浄機を提供する。本考案が提供する殺菌空気清浄機の主要な構成要素では、本体ケーシング１０、外気取入口２０、空気吹出口３０、及び殺菌空気清浄モジュール４０等の要素である。以下には、本体ケーシング１０、外気取入口２０、空気吹出口３０、及び殺菌空気清浄モジュール４０についてさらに説明して、そして、お互いの関係を適当な場合に紹介する。
【００１８】
本実施形態において、本体ケーシング１０は、移動可能な垂直ハウジングであって、横長形状に構成される。本体ケーシング１０の側面に外気取入口２０が配置され、その外気取入口２０は、横長形状に構成されてもよい。本体ケーシング１０の上面に空気吹出口３０が配置され、空気吹出口３０は、横長形状に構成されてもよい。本体ケーシング１０の内部キャビテ１１に、殺菌空気清浄モジュール４０が配置される。また、本体ケーシング１０は様々なベースと合わせて利用されてもよく、本体ケーシング１０が吊り掛け式ハウジングに構成されてもよい。
【００１９】
本実施形態において、殺菌空気清浄モジュール４０は、フィルター材４１、紫外線ランプ４２、及び循環ファン４３を含む。
【００２０】
フィルター材４１は、本体ケーシング１０の内部キャビテ１１に、外気取入口１０と対応する位置に設けられる。フィルター材４１としては、例えば、フィルタースクリーンなど、通過する空気中の有害物質を吸着するのに使用することができ、濾過機能を有するものである。詳しく言えば、フィルター材４１は、例えば、ホルムアルデヒド、ベンゼン、ＴＶＯＣ（揮発性有機化合物）の吸着と分解に使用される触媒フィルタースクリーンであってもよい。フィルター材４１としては、例えば、すばやく臭いを吸収し、トルエン、ベンゼン、煙を分解するために使用される活性炭フィルタースクリーンであってもよい。フィルター材４１は、空気中の塵埃を効率よくろ過するために使用されるＨＥＰＡフィルタースクリーン（高性能フィルタースクリーン）であってもよい。そのため、フィルター材４１は、単一フィルタースクリーン又は複合フィルタースクリーンであり、即ち、フィルター材４１としては、触媒フィルタースクリーン、活性炭フィルタースクリーン、ＨＥＰＡフィルタースクリーンから選ばれる１つであってもよいし、それらの組み合わせであってもよい。また、フィルター材４１を、菌とカビ除去機能を持たせるようにナノ銀でコーティングすることもできる。
【００２１】
紫外線ランプ４２は、本体ケーシング１０の内部キャビテ１１に配置され、紫外線ランプ４２の個数は、１つ又は複数であってもよい。本実施形態における紫外線ランプ４２は２つある。また、紫外線ランプ４２は、実際の設計ニーズまたはユーザーニーズに従って、単管ＵＶ−Ｃ（Ｕｌｔｒａｖｉｏｌｅｔ  ｒａｙ−Ｃ）紫外線ランプ、または多管ＵＶ−Ｃ紫外線ランプ、または直管型、Ｈ管型およびＵ管型の紫外線ランプであり得るため、本実施形態に紫外線ランプ４２の形態又は数量については制限されない。
【００２２】
本実施形態において、紫外線ランプ４２は、波長帯域が２５４ｎｍの紫外線ランプであってもよいし、波長帯域が２５４ｎｍ及び１８５ｎｍの紫外線ランプであってもよい。なかでも、波長帯域が２５４ｎｍの紫外線は、空気中のバクテリアやウィルスを直接照らし殺すことができる。波長帯域が１８５ｎｍの紫外線は空気中の酸素（Ｏ２）をオゾン（Ｏ３）に変換し、オゾンによる強力な酸化性で空気中のバクテリアやウィルスを殺すことができる。
【００２３】
本実施形態において、垂直方向に従う空気は順番に２つの紫外線ランプ４２を通過するように、２つの紫外線ランプ４２は上下に並べて配置される。
【００２４】
循環ファン４３は、本体ケーシング１０内部キャビテ１１に配置され、外気取入口１０の位置と隣り合うように紫外線ランプ４２とフィルター材４１との間に位置される。本実施形態における循環ファン４３は、一般的なブレードファンと比較して、より良い外気吸引力と空気伝導の効率を持つために、円筒ファンに構成されることが好ましい。それにより、本体ケーシング１０の側面に位置される外気取入口２０から吸い込まれた空気は、直線に垂直方向に従って本体ケーシング１０の上面にある空気吹出口３０まで導われて、その吸い込まれた空気が空気吹出口３０から上向きに排出され、部屋全体がすばやく立体的なサイクルを形成する。
【００２５】
本考案の実施形態における前記殺菌空気清浄機を使用する場合、ニーズ次第で全部屋の各箇所に移動することができる。運転している場合、空気が本体ケーシング１０の側面の外気取入口２０から進入して、まずフィルター材４１で濾過され、そして内部キャビテ１１の紫外線ランプ４２が生じた第１の波長帯域（２５４ｎｍ）、又は第２の波長帯域（１８５ｎｍ）により、その空気に存在するバクテリアやウィルスを滅菌し、そして循環ファン４３を介して、濾過され滅菌された清浄な空気を空気吹出口３０から上向きに排出して、これにより、部屋全体の空気が迅速に三次元サイクルを形成することが可能になり、それによって部屋全体の空気を迅速に浄化することができる。
【００２６】
上記を纏めて、本考案が提供する殺菌空気清浄機は、フィルター材、紫外線ランプ、及び循環ファンを含んで、それにより、空気を吸い込んで、濾過・殺菌して、そして空気浄化および殺菌機能を有し、それにより空気の質を改善する。さらに言えば、フィルター材は、空気中のほこりを吸着するためのフィルタースクリーン、又は空気臭を吸着するための活性炭フィルタースクリーン、又は空気中の塵埃をろ過するために使用されるＨＥＰＡフィルタースクリーン、或いは、細菌やカビを滅菌するための複合フィルタースクリーンに構成されることにより、本考案の殺菌空気清浄機は、空気中のほこり、臭いを濾過することができ、そして細菌又はカビを滅菌することができる。また、紫外線ランプが２５４ｎｍ、１８５ｎｍの波長帯域を有することにより、本考案の殺菌空気清浄機は、空気に存在するバクテリアやウィルスを滅菌することができる。最後に、循環ファンが円筒ファンに構成され、空気を本体ケーシングの側面にある外気取入口から吸い込んで、そして、その空気を濾過し滅菌してから清浄な空気を本体ケーシングの上面にある空気吹出口から上向きに排出して、これにより、室内全体の空気が急速に立体的なサイクルに形成されるため、室内全体の空気を迅速に浄化することができ、空気の質の向上に対する要求が達成される。
【００２７】
以上に開示される内容は本考案の好ましい実施可能な実施例に過ぎず、これにより本考案の実用新案登録請求の範囲を制限するものではないので、本考案の明細書及び添付図面の内容に基づき為された等価の技術変形は、全て本考案の実用新案登録請求の範囲に含まれるものとする。
【符号の説明】
【００２８】
１０：本体ケーシング
１１：内部キャビテ
２０：外気取入口
３０：空気吹出口
４０：殺菌空気清浄モジュール
４１：フィルター材
４２：紫外線ランプ
４３：循環ファン        
【図１】
0003223623.tif 000003
【図２】
0003223623.tif 000004
【手続補正書】
【提出日】令和1年8月23日(2019.8.23)
【手続補正１】
【補正対象書類名】実用新案登録請求の範囲
【補正対象項目名】全文
【補正方法】変更
【補正の内容】
【実用新案登録請求の範囲】
【請求項１】
本体ケーシング、外気取入口、空気吹出口、及び殺菌空気清浄モジュールを含む殺菌空気清浄機であって、
前記本体ケーシングの側面に、前記外気取入口が配置され、前記本体ケーシングの上面に前記空気吹出口が配置され、前記本体ケーシングの内部キャビテに前記殺菌空気清浄モジュールが配置され、
前記殺菌空気清浄モジュールは、フィルター材、紫外線ランプ、及び循環ファンを含み、前記フィルター材は、前記本体ケーシングの内部キャビテに、前記外気取入口と対応するように配置され、
前記紫外線ランプは、前記本体ケーシングの内部キャビテに配置され、
前記循環ファンは、前記本体ケーシングの内部キャビテに配置され、
前記循環ファンは、前記紫外線ランプと前記フィルター材との間に、前記外気取入口と隣り合う位置に配置される、ことを特徴とする、殺菌空気清浄機。
【請求項２】
前記本体ケーシングは、移動可能な垂直ハウジングであって、横長形状に構成される、請求項１に記載する、殺菌空気清浄機。
【請求項３】
前記外気取入口が横長形状に構成され、前記空気吹出口が横長形状に構成される、請求項１又は２に記載する、殺菌空気清浄機。
【請求項４】
前記フィルター材は、触媒フィルタースクリーン、活性炭フィルタースクリーン、ＨＥＰＡフィルタースクリーンから選ばれる１つ、又はそれらの組み合わせである、請求項１〜３のいずれか１項に記載する、殺菌空気清浄機。
【請求項５】
前記紫外線ランプの波長帯域は２５４ｎｍである、請求項１〜４のいずれか１項に記載する、殺菌空気清浄機。
【請求項６】
前記紫外線ランプの波長帯域は、２５４ｎｍ及び１８５ｎｍである、請求項１〜４のいずれか１項に記載する、殺菌空気清浄機。
【請求項７】
前記紫外線ランプは２つあり、２つの前記紫外線ランプは、上下に並べて配置される、請求項１〜６のいずれか１項に記載する、殺菌空気清浄機。
【請求項８】
前記循環ファンは、円筒ファンに構成され、空気が前記本体ケーシングの側面の前記外気取入口から吸い込まれて、直線に垂直方向に従って前記本体ケーシングの上面の前記空気吹出口に導かれるように配置される、請求項１〜７のいずれか１項に記載する、殺菌空気清浄機。